(57)【要約】      （修正有）【課題】前後漏れ防止シートの内部へ吸収パッドを挿入しやすくすること。【解決手段】外装シートの内面に固定された、吸収体を含む内装体１０と、肌に接触する表面シートとを備えた使い捨ておむつにおいて、後身頃端部において、前後漏れ防止シートの股下側の側部において、製品の幅方向両側部において、前後方向に沿い、かつギャザーシートに伸長状態で固定された弾性伸縮部材１６により、使用状態において内側側部が起立するように立体ギャザーが設けられ、前記立体ギャザーと前後漏れ防止シートが交差しており、前記交差領域において立体ギャザーと前後漏れ防止シートが止着されており、立体ギャザーの前記内側側部より幅方向外側において、前記前後漏れ防止シートの長手方向端部が前記外装シートと固定されていない、ことにより解決される。【選択図】図５
2014068848.tif 000002
【特許請求の範囲】
【請求項１】
前身頃及び後身頃を有する外装シートと、この外装シートの内面に固定された、吸収体を含む内装体と、表面シートとを備えた使い捨ておむつにおいて、
前記後身頃端部において、幅方向に沿い、かつ股下側の側部が前記表面シートと非固定の前後漏れ防止シートが設けられ、
前記前後漏れ防止シートの股下側の側部において、幅方向に沿い、伸長状態で固定された弾性伸縮部材により、股下側側部が起立するように形成され、
製品の幅方向両側部において、前後方向に沿い、かつギャザーシートに伸長状態で固定された弾性伸縮部材により、使用状態において内側側部が起立するように立体ギャザーが設けられ、
前記立体ギャザーと前後漏れ防止シートが交差しており、
前記交差領域において立体ギャザーと前後漏れ防止シートが止着されており、
立体ギャザーの前記内側側部より幅方向外側において、前記前後漏れ防止シートの長手方向端部が前記外装シートと固定されていない、
ことを特徴とする使い捨ておむつ。
【請求項２】
立体ギャザーの前記内側側部より幅方向外側であって、前記前後漏れ防止シートの長手方向端縁より内側において、前記外装シートと固定されていない部分を有し、前記前後漏れ防止シートの長手方向端縁部分が前記外装シートと固定されている、請求項１記載の使い捨ておむつ。
【請求項３】
前記立体ギャザーの弾性伸縮部材と前後漏れ防止シートに配された弾性伸縮部材の交差領域において、前記立体ギャザーと前後漏れ防止シートが止着されている請求項１または２記載の使い捨ておむつ。
【請求項４】
前記立体ギャザーの弾性伸縮部材と前後漏れ防止シートに配された弾性伸縮部材の交差領域から、立体ギャザーの股上側端部へ向かって、前記立体ギャザーと前後漏れ防止シートが止着されている請求項３記載の使い捨ておむつ。
【請求項５】
少なくとも前記後身頃端部において、前記立体ギャザーが前記内装体の少なくとも吸収体の幅方向側縁を巡ってその裏面側まで巻き込まれ、
前記内装体は、その幅方向中間が前記外装シートに固定され、前記内装体の幅方向側部、及び前記立体ギャザーの裏面側への巻き込み部分が前記外装シートと固定されていない、請求項１〜４のいずれか１項に記載の使い捨ておむつ。
【請求項６】
前記内装体と外装シートの固定部と、非固定部との境界位置に、
吸収体の離間部又は薄肉部が形成されている、請求項５に記載の使い捨ておむつ。
【請求項７】
前記前後漏れ防止シートは前記立体ギャザー上に位置して交差している、請求項１〜６のいずれか１項に記載の使い捨ておむつ。
【請求項８】
前記立体ギャザーは前記前後漏れ防止シート上に位置して交差している、請求項１〜６のいずれか１項に記載の使い捨ておむつ。
【請求項９】
製品の幅方向両側部に設けられた各立体ギャザーの内側側部より幅方向内側であって、前記前後漏れ防止シートの股下側の側部に、幅方向に沿って、前後漏れ防止シートの弾性伸縮部材が伸長状態で固定され、
前記弾性伸縮部材は、立体ギャザーの弾性伸縮部材と交差する領域から、次第に前後漏れ防止シートの長手方向外側かつ股上側へと延在する、請求項１〜８のいずれか１項に記載の使い捨ておむつ。
【請求項１０】
製品の幅方向両側部に設けられた各立体ギャザーの内側側部より幅方向外側であって、前記前後漏れ防止シートの股下側の側部に、幅方向に沿って、前後漏れ防止シートの弾性伸縮部材が伸長状態で固定され、
前記弾性伸縮部材は、立体ギャザーの弾性伸縮部材と交差する領域から、次第に前後漏れ防止シートの長手方向内側かつ股上側へと延在する、請求項１〜８のいずれか１項に記載の使い捨ておむつ。
【発明の詳細な説明】
【技術分野】
【０００１】
本発明は、前後漏れ防止シートと内装体との間の空間に吸収パッドを挿入しやすくした使い捨ておむつに関する。
【背景技術】
【０００２】
使い捨ておむつは、前身頃及び後身頃を有する外装シートと、この外装シートの内面に固定された、吸収体を含む内装体と、肌に接触する表面シートとを備える。この使い捨ておむつには、前記外装シートの前身頃と後身頃とが両側部において接合されることにより、ウエスト開口部及び左右一対のレッグ開口部が形成されるパンツ式使い捨ておむつと、外装シートの背側の両側部に設けたファスニングテープを紙おむつの腹側表面に止着することによって着用者に装着するテープ式使い捨ておむつとが知られている。本発明は、前記パンツ式使い捨ておむつとテープ式使い捨ておむつの両方に適用可能なものである。
【０００３】
このような使い捨ておむつにおいては、使い捨ておむつをカバー材として使用し、この使い捨ておむつの内面に別体の吸収パッドを装着し、着用者が排泄することにより吸収パッドが汚れた場合に、汚れた吸収パッドのみを交換する使用方法が多く用いられている。このような使用をすることにより、排泄があった場合であっても、使い捨ておむつを交換しなくて良くなり、経済的であるからである。
【０００４】
この吸収パッドの装着は、使い捨ておむつの幅方向両側部に設けられた立体ギャザーを利用して、この立体ギャザーの起端部に吸収パッドを挿入することにより固定する。この場合、着用者は高齢者や身体に障害を抱えた者が多いため、吸収パッドを立体ギャザーの内側に上手く装着できず、吸収パッドおよび使い捨ておむつのフィット性が悪くなり、ウエスト周りなどから排泄物が漏れ出す可能性がある。
【０００５】
このウエスト周りからの排泄物の漏れ出しを防止するために、吸収性本体の周縁部から吸収性本体の端部領域を覆って、おむつの内側方向に向かって起立する腰周り立体カフスを形成するパンツ型使い捨ておむつが提案されている（特許文献１）。また、ウエスト開口部からの便や尿のモレを効果的に防止するため、腹側部及び／又は背側部における着用者の胴回りに位置する胴回り部に、立体ガードを形成したパンツ型使い捨ておむつも提案されている（特許文献２）。また、使い捨ておむつの前後漏れを確実に防止するために、製品の両側に設けたバリヤカフスの間に跨って腰部バリヤシートを配設し、この腰部バリヤシートによって内方に開口するポケット空間を形成する使い捨ておむつも提案されている（特許文献３）。その他、前後漏れを防止するために、使用面側に端部バリヤーカフスを設け、この端部バリヤーカフスの製品中央側が透液性トップシートと固定されておらず、この非固定部分において製品の幅方向に沿う弾性伸縮部材が設けられ、使用時において、その弾性伸縮部材の収縮により、非固定部分が透液性トップシートと離間するように構成された使い捨て紙おむつも提案されている（特許文献４）。
【先行技術文献】
【特許文献】
【０００６】
【特許文献１】公開特許公報２００６−２６３３０６号公報
【特許文献２】公開特許公報２００１−２５２３０３号公報
【特許文献３】公開特許公報１９９５−１８４９４７号公報
【特許文献４】公開特許公報１９９８−３２８２３４号公報
【発明の概要】
【発明が解決しようとする課題】
【０００７】
吸収パッドを使い捨ておむつに装着する場合、使い捨ておむつの幅方向両側部に設けられた立体ギャザーの内部だけではなく、使い捨ておむつの前後方向端部に設けられた前後漏れ防止シートの内部にも挿入することで、使い捨ておむつと吸収パッドの一体性が向上する。しかし、前後漏れ防止シートの内部へ吸収パッドを挿入する場合、前後漏れ防止シートと表面シートの間に空間が発生しにくいため、吸収パッドの挿入に手間がかかるという問題がある。
【０００８】
そこで本発明の主たる課題は、前後漏れ防止シートの内部へ吸収パッドを挿入しやすくすることにある。
【課題を解決するための手段】
【０００９】
＜請求項１記載の発明＞
前身頃及び後身頃を有する外装シートと、この外装シートの内面に固定された、吸収体を含む内装体と、肌に接触する表面シートとを備えた使い捨ておむつにおいて、
前記後身頃端部において、幅方向に沿い、かつ股下側の側部が前記表面シートと非固定の前後漏れ防止シートが設けられ、
前記前後漏れ防止シートの股下側の側部において、幅方向に沿い、伸長状態で固定された弾性伸縮部材により、股下側側部が起立するように形成され、
製品の幅方向両側部において、前後方向に沿い、かつギャザーシートに伸長状態で固定された弾性伸縮部材により、使用状態において内側側部が起立するように立体ギャザーが設けられ、
前記立体ギャザーと前後漏れ防止シートが交差しており、
前記交差領域において立体ギャザーと前後漏れ防止シートが止着されており、
立体ギャザーの前記内側側部より幅方向外側において、前記前後漏れ防止シートの長手方向端部が前記外装シートと固定されていない、
ことを特徴とする使い捨ておむつ。
【００１０】
（作用効果）
立体ギャザーの内側側部より幅方向外側において、前後漏れ防止シートの長手方向端部が外装シートと固定されないことで、前後漏れ防止シートの長手方向端部が自由になるため、前後漏れ防止シートに配した弾性伸縮部材の収縮により、前後漏れ防止シートの非固定部分が表面シートと離間しやすくなる。また、立体ギャザーの内側側部より幅方向外側において、前後漏れ防止シートと外装シートが固定されていると、前後漏れ防止シートに配した弾性伸縮部材の収縮により、内装体が背側に膨らんでしまうが、前後漏れ防止シートの長手方向端部を自由にすることにより、前後漏れ防止シートに配した弾性伸縮部材が収縮しても、内装体が背側へ膨らむことを防ぐことができる。
【００１１】
＜請求項２記載の発明＞
立体ギャザーの前記内側側部より幅方向外側であって、前記前後漏れ防止シートの長手方向端縁より内側において、前記外装シートと固定されていない部分を有し、前記前後漏れ防止シートの長手方向端縁部分が前記外装シートと固定されている、請求項１記載の使い捨ておむつ。
【００１２】
（作用効果）
請求項１と同様の作用効果を有する。
【００１３】
＜請求項３記載の発明＞
前記立体ギャザーの弾性伸縮部材と前後漏れ防止シートに配された弾性伸縮部材の交差領域において、前記立体ギャザーと前後漏れ防止シートが止着されている請求項１または２記載の使い捨ておむつ。
【００１４】
（作用効果）
前後漏れ防止シートに配された弾性伸縮部材の収縮により、立体ギャザーが立ち上がりやすくなり、前後漏れ防止シートの非固定部分が表面シートと離間しやすくなる。
【００１５】
＜請求項４記載の発明＞
前記立体ギャザーの弾性伸縮部材と前後漏れ防止シートに配された弾性伸縮部材の交差領域から、立体ギャザーの股上側端部へ向かって、前記立体ギャザーと前後漏れ防止シートが止着されている請求項３記載の使い捨ておむつ。
【００１６】
（作用効果）
立体ギャザーと前後漏れ防止シートをこのように止着することで、立体ギャザーの股上側端部を通り、立体ギャザーの内側から外側へ排泄物が漏れ出すのを防ぐことができる。
【００１７】
＜請求項５記載の発明＞
少なくとも前記後身頃端部において、前記立体ギャザーが前記内装体の少なくとも吸収体の幅方向側縁を巡ってその裏面側まで巻き込まれ、
前記内装体は、その幅方向中間が前記外装シートに固定され、前記内装体の幅方向側部、及び前記立体ギャザーの裏面側への巻き込み部分が前記外装シートと固定されていない、請求項１〜４のいずれか１項に記載の使い捨ておむつ。
【００１８】
（作用効果）
前後漏れ防止シートに配された弾性伸縮部材の収縮により、内装体の幅方向側部、及び立体ギャザーの裏面側への巻き込み部分の外装シートと固定されていない部分が、使用面側へ立ち上がりやすくなるため、前記部分が外装シートと固定されている場合と比べて、前後漏れ防止シートの非固定部分が表面シートとより離間しやすくなる。
【００１９】
＜請求項６記載の発明＞
前記内装体と外装シートの固定部と、非固定部との境界位置に、
吸収体の離間部又は薄肉部が形成されている、請求項５に記載の使い捨ておむつ。
【００２０】
（作用効果）
内装体と外装シートの固定部と、非固定部との境界位置を起端にして、内装体の両側部の非固定部が立ち上がりやすくなる。そのため、前後漏れ防止シートと表面シートとの間に生じる空間が大きくなり、その空間に吸収パッドを挿入しやすくなる。
なお、内装体と外装シートの固定部に、吸収体の離間部又は薄肉部を設けた場合は、内装体の非固定部が立ち上がる効果が実質的に見られない。
また、内装体と外装シートの非固定部に、吸収体の離間部又は薄肉部を設けた場合は、
非固定部の途中で折れ曲がりが生じるが、内装体の非固定部全体の立ち上がりに顕著な効果が生じない。
【００２１】
＜請求項７記載の発明＞
前記前後漏れ防止シートは前記立体ギャザー上に位置して交差している、請求項１〜６のいずれか１項に記載の使い捨ておむつ。
【００２２】
（作用効果）
前後漏れ防止シートが、立体ギャザー上に位置して交差する形態にしても良い。
【００２３】
＜請求項８記載の発明＞
前記立体ギャザーは前記前後漏れ防止シート上に位置して交差している、請求項１〜６のいずれか１項に記載の使い捨ておむつ。
【００２４】
（作用効果）
立体ギャザーが、前後漏れ防止シート上に位置して交差する形態にしても良い。
【００２５】
＜請求項９記載の発明＞
製品の幅方向両側部に設けられた各立体ギャザーの内側側部より幅方向内側であって、前記前後漏れ防止シートの股下側の側部に、幅方向に沿って、前後漏れ防止シートの弾性伸縮部材が伸長状態で固定され、
前記弾性伸縮部材は、立体ギャザーの弾性伸縮部材と交差する領域から、次第に前後漏れ防止シートの長手方向外側かつ股上側へと延在する、請求項１〜８のいずれか１項に記載の使い捨ておむつ。
【００２６】
（作用効果）
前後漏れ防止シートに配された弾性伸縮部材の収縮により、立体ギャザーが前後漏れ防止シートの長手方向外側かつ股上側へと引っ張られる。それにより、立体ギャザーが立ち上がりやすくなり、前後漏れ防止シートの非固定部分が表面シートとより離間しやすくなる。
【００２７】
＜請求項１０記載の発明＞
製品の幅方向両側部に設けられた各立体ギャザーの内側側部より幅方向外側であって、前記前後漏れ防止シートの股下側の側部に、幅方向に沿って、前後漏れ防止シートの弾性伸縮部材が伸長状態で固定され、
前記弾性伸縮部材は、立体ギャザーの弾性伸縮部材と交差する領域から、次第に前後漏れ防止シートの長手方向内側かつ股上側へと延在する、請求項１〜８のいずれか１項に記載の使い捨ておむつ。
【００２８】
（作用効果）
吸収パッドの装着時においては、前後漏れ防止シートに配された弾性伸縮部材の収縮により、前後漏れ防止シートに配された弾性伸縮部材と立体ギャザーの弾性伸縮部材の交差する領域から、前後漏れ防止シートの長手方向内側かつ股上側へ立体ギャザーが引っ張られる。それにより、立体ギャザーが立ち上がりやすくなり、前後漏れ防止シートの非固定部分が表面シートとより離間しやすくなる。
また、吸収パッドを装着した後、使い捨ておむつを上半身側へ引き上げる段階においては、前後漏れ防止シートに配された弾性伸縮部材と立体ギャザーの弾性伸縮部材の交差する領域から、前後漏れ防止シートの長手方向内側かつ股上側へ配された弾性伸縮部材が伸長する。その結果、挿入した吸収パッドの後身頃側両角部が前記弾性伸縮部材によって押さえつけられ、挿入した吸収パッドがずれにくくなる。
【発明の効果】
【００２９】
以上のとおり、本発明によれば、前後漏れ防止シートの内部へ吸収パッドが挿入しやすくなる等の利点がもたらされる。
【図面の簡単な説明】
【００３０】
【図１】本発明にかかる使い捨ておむつを肌面側から見た展開図であり、弾性伸縮部材の一部を破断した図である。
【図２】本発明にかかる使い捨ておむつを裏面側から見た展開図である。
【図３】本発明にかかる使い捨ておむつのＢ−Ｂ断面を示した矢視図である。
【図４】従来の使い捨ておむつであって、内装体と外装シートの止着領域を説明するための要部を示した展開図である。
【図５】本発明にかかる使い捨ておむつであって、内装体と外装シートの止着領域を説明するための要部を示した展開図である。
【図６】従来の使い捨ておむつを肌面側から見た展開図であって、前後漏れ防止シートと、外装シートおよび立体ギャザーの止着領域を説明するための要部を示した図である。
【図７】本発明にかかる使い捨ておむつを肌面側から見た展開図であって、前後漏れ防止シートと、外装シートおよび立体ギャザーの止着領域を説明するための要部を示した図である。
【図８】本発明にかかる使い捨ておむつのＡ−Ａ断面を示した矢視図であって、使い捨ておむつを前後漏れ防止シートの長手方向両側から外方へ引っ張った状態を示した図である。
【図９】図８の引っ張りを解除した状態を示した断面図である。
【図１０】本発明にかかる使い捨ておむつのＡ−Ａ断面を示した矢視図の他の例であって、使い捨ておむつを前後漏れ防止シートの長手方向両側から外方へ引っ張った状態を示した図である。
【図１１】図１０の引っ張りを解除した状態を示した断面図である。
【図１２】本発明にかかる使い捨ておむつを肌面側から見た展開図であって、前後漏れ防止シート弾性伸縮部材の配置を説明するための要部を示した図である。
【図１３】図１２と止着領域が異なる例を示した図である。
【図１４】本発明にかかる使い捨ておむつを肌面側から見た展開図の他の例であって、前後漏れ防止シート弾性伸縮部材の配置を説明するための要部を示した図である。
【図１５】本発明にかかる使い捨ておむつを肌面側から見た展開図の他の例であって、前後漏れ防止シート弾性伸縮部材の配置を説明するための要部を示した図である。
【図１６】本発明にかかる使い捨ておむつにおいて、離間部又は薄肉部を設けた場合を示す展開図である。
【図１７】離間部を設けた使い捨ておむつのＣ−Ｃ断面を示した矢視図であって、使い捨ておむつを前後漏れ防止シートの長手方向両側から外方へ引っ張った状態を示した図である。
【図１８】図１７の引っ張りを解除した状態を示した断面図である。
【図１９】薄肉部を設けた使い捨ておむつのＣ−Ｃ断面を示した矢視図であって、使い捨ておむつを前後漏れ防止シートの長手方向両側から外方へ引っ張った状態を示した図である。
【図２０】図１９の引っ張りを解除した状態を示した断面図である。
【図２１】本発明にかかる使い捨ておむつに吸収パッドを装着した状態を示した斜視図である。
【発明を実施するための形態】
【００３１】
以下、本発明の一実施形態について、添付図面を参照しつつ詳説する。
【００３２】
図１および図２は、本発明にかかるパンツ式の使い捨ておむつ１を示している。この使い捨ておむつ１（以下、単に製品ともいう。）は、前身頃Ｆ及び後身頃Ｂを有する外装シート２０と、この外装シート２０の内面に固定され一体化された内装体１０と、内装体１０の表面に固定された表面シート１１を有する。内装体１０は、裏面側に液不透過性の裏面側シート１２を備え、肌面側に吸収体１３を備えている。
【００３３】
（外装シート）
前記外装シート２０は、上層不織布２０Ａと下層不織布２０Ｂからなる２層構造の不織布シートである。上層不織布２０Ａと下層不織布２０Ｂとの間及び下層不織布２０Ｂをウエスト開口縁で内面側に折り返してなる折り返し部分２０Ｃの不織布の間には各種弾性部材がそれぞれ配置され伸縮性が付与されている。平面形状は、中間両側部に夫々脚部開口を形成するために形成された凹状の脚回りライン２９により、全体として擬似砂時計形状をなしている。
【００３４】
外装シート２０の弾性部は、ウエスト開口部近傍に配置されたウエスト部弾性部材２４と、前身頃Ｆ及び後身頃Ｂに、縦方向に間隔をおいて幅方向に沿って配置された複数の腰回り弾性部材２５とを有するとともに、前身頃Ｆ及び後身頃Ｂのそれぞれにおいて、腰回り弾性部材群２５とは別に、前身頃Ｆと後身頃Ｂとを連結する連結側部２１、２２から幅方向中央に向かうにつれて反対の身頃側へ向かうように湾曲しつつ、内装体１０の両側部と重なる部位まで（又は両側部の近傍まで等、必ずしも重ならなくても良い）延在するとともに、互いに交差することなく間隔をおいて配置された複数本の湾曲弾性部材２６、２８を備えている。なお、本外装シート２０では、脚回りライン２９に沿って実質的に連続する、所謂脚回り弾性部材は設けられていない。  
【００３５】
（内装体）
内装体１０は、裏面側に設けたポリエチレン等からなる液不透過性裏面側シート１２と、その液不透過性裏面側シート１２の肌面側に吸収体１３を備えた構造をしており、排泄液を吸収保持するものである。
【００３６】
吸収体１３の裏面側（非肌面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００３７】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、長方形状とする他、背側及び腹側に対して股間部の幅が狭い砂時計形状（括れ形状）とすることもできる。
【００３８】
（表面シート）
吸収体１３の表面側（肌面側）を覆う表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００３９】
（前後漏れ防止シート）
図１および図３に示されるように、外装シート２０の内面上に取り付けられた内装体１０の前後端部をカバーし、且つ内装体１０の前後縁からの漏れを防ぐために、前後漏れ防止シート２が設けられている。
【００４０】
図１の図示形態について更に詳細に説明すると、前漏れ防止シート２は、前身頃Ｆ内面のうちウエスト側端部の折り返し部分２０Ｃの内面から内装体１０の前端部と重なる位置まで幅方向全体にわたり延在している。前漏れ防止シート２の裏面側は、外装シート２０や表面シート１１と接着されている。このとき、前漏れ防止シート２の股下側縁部に幅方向の全体にわたり（中央部のみでも良い）若干の非接着部分を設けても良く、この非接着部分を設けると、接着剤が食み出ないだけでなく、この部分を表面シートから若干浮かせて防漏壁として機能させることができる。
【００４１】
また、図１の図示形態において、後漏れ防止シート２は、表面シート１１や液不透過性裏面側シート１２の後端部よりも股上側の位置から、内装体１０の後端部を越えて内装体１０の股下側へ延在している。そして、この後漏れ防止シート２は、股下側の端部が表面シート１１と固定されておらず、股上側が外装シート２０とホットメルト接着剤等により接着されている。また、この後漏れ防止シート２の股下側端部においては、幅方向に沿って、伸長状態で弾性伸縮部材３が固定され、使用状態においてこの弾性伸縮部材３が収縮することにより、後漏れ防止シート２の股下側端部が起立する。
【００４２】
図１の図示形態においては、前漏れ防止シート２と後漏れ防止シート２が異なる場合を示したが、図１の前漏れ防止シート２の形態を図１の後漏れ防止シート２と同様の形態にしても良い。また、図１の前漏れ防止シート２の形態と後漏れ防止シート２の形態をそれぞれ逆の形態にしても良い。前後漏れ防止シート２の形態を図１の後漏れ防止シート２のような形態にすることで、前後漏れ防止シート２の前後方向端部が自由になるため、前後漏れ防止シート２に配した弾性伸縮部材３の収縮により、前後漏れ防止シート２の非固定部分が表面シート１１と離間しやすくなる。
【００４３】
なお、図１の図示形態において、前後漏れ防止シート２は長方形状をしており、前後漏れ防止シート２の長手方向が使い捨ておむつの幅方向に該当している。また、前後漏れ防止シート２の股上側および股下側を示す方向が、使い捨ておむつの前後方向に該当している。
【００４４】
また、図示形態のように、前後漏れ防止シート２を別体として取り付けると、素材選択の自由度が高くなる利点があるものの、資材や製造工程が増加する等のデメリットもある。そのため、外装シート２０をおむつ１内面に折り返してなる折り返し部分２０Ｃを、内装体１０と重なる部分まで延在させて、前述の前後漏れ防止シート２と同等の部分を形成するようにしても良い。
【００４５】
この前後漏れ防止シート２を構成する素材繊維は、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００４６】
また、前後漏れ防止シート２に設けられる弾性伸縮部材３としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、伸長率は１５０〜３５０％、間隔は１０．０ｍｍ以下として配設するのがよい。なお、伸張率は伸張時の長さ／自然長×１００で算出した値であり、糸状弾性伸縮部材に代えて、ある程度の幅を有するテープ状弾性伸縮部材を用いるようにしてもよい。
【００４７】
（立体ギャザー）
この立体ギャザーＢＳは、立体ギャザーシート１５の内側側部に、伸長状態で弾性伸縮部材１６が固定されることにより形成される。そして、使用状態においてこの弾性伸縮部材１６が収縮することにより、立体ギャザーＢＳの内側側部が起立する。
【００４８】
内装体１０の両側部には脚周りにフィットする立体ギャザーＢＳが形成されているのが好ましい。この立体ギャザーＢＳは立体ギャザーシート１５により形成される。ギャザー不織布としては、折返しによって二重シートとした不織布が好適に用いられ、吸収体１３の側縁部をさらにその上側から巻き込んで吸収体１３の裏面側まで延在して接着されている。より具体的には、立体ギャザーシート１５は、使い捨ておむつ１の長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００４９】
二重シート不織布によって形成された立体ギャザーシート１５の内部には、起立先端側部分に複数本の立体ギャザー弾性伸縮部材１６が配設されている。立体ギャザー弾性伸縮部材１６は、製品状態において、弾性伸縮力により吸収体１３側縁部より突出する不織布部分を起立させて立体ギャザーＢＳを形成するためのものである。
【００５０】
液不透過性裏面側シート１２は、二重シート状の立体ギャザーシート１５の内部まで進入し、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００５１】
弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、伸長率は１５０〜３５０％、間隔は１０．０ｍｍ以下として配設するのがよい。なお、伸張率は伸張時の長さ／自然長×１００で算出した値であり、糸状弾性伸縮部材に代えて、ある程度の幅を有するテープ状弾性伸縮部材を用いるようにしてもよい。
【００５２】
前述の立体ギャザーシート１５を構成する素材繊維も前後漏れ防止シート２と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらに立体ギャザーシート１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００５３】
（内装体の固定）
前記のとおり、立体ギャザーＢＳは、少なくとも製品の後身頃端部において、前記内装体１０の少なくとも吸収体１３の幅方向側縁を巡ってその裏面側まで巻き込まれる。このとき、製品の後身頃端部の内装体１０は、その幅方向中間が外装シート２０に固定され、前記内装体１０の幅方向側部、及び前記立体ギャザーＢＳの裏面側への巻き込み部分が前記外装シート２０と固定されていないようにするのが好ましい。前後漏れ防止シート２に配された弾性伸縮部材３の収縮により、内装体１０の幅方向側部、及び立体ギャザーＢＳの裏面側への巻き込み部分の外装シート２０と固定されていない部分が、使用面側へ立ち上がりやすくなるため、前記部分が外装シート２０と固定されている場合と比べて、前後漏れ防止シート２の非固定部分が表面シート１１とより離間しやすくなるからである。なお、図８に示すように、立体ギャザーＢＳの裏面側への巻き込み部分が前記外装シート２０と固定されていても良いが、図１０に示すように、固定されていない方が前後漏れ防止シート２と立体ギャザーＢＳの離間領域が大きくなるという利点がある。
【００５４】
（前後漏れ防止シートの固定）
立体ギャザーＢＳと前後漏れ防止シート２は、立体ギャザーＢＳの背側方向端部で交差しており、その交差領域において立体ギャザーＢＳと前後漏れ防止シート２が止着されている。この止着は、例えば、ホットメルト接着等の既知の手段により行われる。そして、立体ギャザーＢＳの内側側部より幅方向外側においては、前記前後漏れ防止シート２の長手方向端部に前記外装シート２０と固定されない領域を設ける。この固定されていない領域については、前後漏れ防止シート２の長手方向端部の全ての領域が固定されていない形態でも良いし、前後漏れ防止シート２の長手方向端部のうち、一部の領域が固定されており、他の領域が固定されていない形態でも良い。このように、立体ギャザーＢＳの内側側部より幅方向外側において、前後漏れ防止シート２の長手方向端部が外装シート２０と固定されない領域を設けることで、前後漏れ防止シート２の長手方向端部に自由な領域ができるため、前後漏れ防止シート２に配した弾性伸縮部材３の収縮により、前後漏れ防止シート２の非固定部分が表面シート１１と離間しやすくなる。また、立体ギャザーＢＳの内側側部より幅方向外側において、前後漏れ防止シート２と外装シート２０が固定されていると、前後漏れ防止シート２に配した弾性伸縮部材３の収縮により、内装体１０が背側に膨らんでしまうが、前後漏れ防止シート２の長手方向端部を自由にすることにより、前後漏れ防止シート２に配した弾性伸縮部材３が収縮しても、内装体１０が背側へ膨らむことを防ぐことができる。
【００５５】
なお、前後漏れ防止シート２の長手方向の長さについては、立体ギャザーＢＳよりも幅方向外側へ延在するようにしても良いし、延在しないようにしても良い。延在する場合は、前後漏れ防止シート２の延在した全ての領域を外装シート２０と固定しないようにするか、延在した一部の領域を外装シート２０と固定しないようにする。
【００５６】
例えば、立体ギャザーＢＳの内側側部より幅方向外側であって、前記前後漏れ防止シート２の長手方向端縁より内側において、前記外装シート２０と固定されていない部分を設け、前記前後漏れ防止シート２の長手方向端縁部分を外装シート２０と固定するようにしても良い。この場合、前記前後漏れ防止シート２の長手方向端縁部分を外装シート２０と固定しない場合と比べると、前後漏れ防止シート２の非固定部分が表面シート１１と離間しにくくなるが、立体ギャザーＢＳの内側側部より幅方向外側であって、前記前後漏れ防止シート２の長手方向端縁より内側において、前記外装シート２０と固定されていない部分を設けているため、図８に示すように、通常の製品よりも、前後漏れ防止シート２の非固定部分が表面シート１１から離間しやすくなる。
【００５７】
なお、前後漏れ防止シート２の前記延在部分のうち、外装シート２０と固定する領域は、前後漏れ防止シート２の長手方向端縁側に設けるほうが好ましい。立体ギャザーＢＳの内側側部より幅方向外側であって、前後漏れ防止シート２の長手方向端縁より内側部分の固定されていない領域が広くなるため、立体ギャザーＢＳの内側側部より幅方向内側にある前後漏れ防止シート２の非固定部分が、表面シート１１から離間しやすくなるからである。
【００５８】
その他に、前後漏れ防止シート２の前記延在部分のうち、外装シート２０と固定する領域を、前後漏れ防止シート２の長手方向内側寄りに設けても良い。また、前後漏れ防止シート２の前記延在部分のうち、外装シート２０と固定する領域を、前後漏れ防止シート２の長手方向に沿って、所定の間隔を空けて複数個所設けても良い。さらに、前後漏れ防止シート２の前記延在部分のうち、外装シート２０と固定する領域を、前後漏れ防止シート２の長手方向に沿って、広く設けても良い。しかし、これらの場合は、立体ギャザーＢＳの内側側部より幅方向外側であって、前後漏れ防止シート２の長手方向端縁より内側部分の固定されていない領域が狭くなるため、立体ギャザーＢＳの内側側部より幅方向内側にある前後漏れ防止シート２の非固定部分が、表面シート１１から離間しにくくなるので、あまり好ましくない。
【００５９】
また、立体ギャザーＢＳの弾性伸縮部材１６と前後漏れ防止シート２に配された弾性伸縮部材３が交差する領域において、立体ギャザーＢＳと前後漏れ防止シート２を止着し、前記交差領域よりも長手方向外側にある前後漏れ防止シート２と立体ギャザーＢＳを止着しないようにするのが好ましい。立体ギャザーＢＳと前後漏れ防止シート２の止着領域を小さくすることにより、立体ギャザーＢＳが立ち上がりやすくなり、前後漏れ防止シート２の非固定部分が表面シート１１と離間しやすくなる。
【００６０】
また、立体ギャザーＢＳの弾性伸縮部材１６と前後漏れ防止シート２に配された弾性伸縮部材３の交差領域から、立体ギャザーＢＳの後身頃の前後方向端部へ向かって、前記立体ギャザーＢＳと前後漏れ防止シート２を止着するのが好ましい。立体ギャザーＢＳと前後漏れ防止シート２をこのように止着することで、立体ギャザーＢＳの後身頃の長手方向端部を通り、立体ギャザーＢＳの内側から外側へ排泄物が漏れ出すのを防ぐことができる。
【００６１】
なお、前後漏れ防止シート２が立体ギャザーＢＳ上に位置して交差するようにしても良いし、前後漏れ防止シート２が、立体ギャザーＢＳ上に位置して交差するようにしても良い。
【００６２】
（前後漏れ防止シート弾性伸縮部材の配置）
図１２や図１３に示すように、前後漏れ防止シート２に配される弾性伸縮部材３は、前後漏れ防止シート２の股下側の側部において、製品の幅方向に沿って、前後漏れ防止シート２の一端側から他端側へほぼ直線状に延在させるように配置しても良い。
【００６３】
また、図１４に示すように、製品の幅方向両側部に設けられた各立体ギャザーＢＳの内側側部より幅方向内側であって、前記前後漏れ防止シート２の股下側の側部に、製品の幅方向に沿って、前後漏れ防止シート２の弾性伸縮部材３を伸長状態で固定し、前記弾性伸縮部材３と立体ギャザーＢＳの弾性伸縮部材１６とが交差する領域から、次第に前後漏れ防止シート２の長手方向外側かつ股上側へ延在するように配置しても良い。この配置において、前後漏れ防止シート２に配された弾性伸縮部材３が収縮することにより、立体ギャザーＢＳが前後漏れ防止シート２の長手方向外側かつ股上側へと引っ張られる。それにより、立体ギャザーＢＳが立ち上がりやすくなり、前後漏れ防止シート２の非固定部分が表面シート１１とより離間しやすくなるという利点がある。
【００６４】
また、図１５に示すように、製品の幅方向両側部に設けられた各立体ギャザーＢＳの内側側部より幅方向外側であって、前記前後漏れ防止シート２の股下側の側部に、製品の幅方向に沿って、前後漏れ防止シート２の弾性伸縮部材３を伸長状態で固定し、前記弾性伸縮部材３と立体ギャザーＢＳの弾性伸縮部材１６と交差する領域から、次第に前後漏れ防止シート２の長手方向内側かつ股上側へと延在するように配置しても良い。
【００６５】
このような配置をすることにより、吸収パッドの装着時において、前後漏れ防止シート２に配された弾性伸縮部材３が収縮し、前後漏れ防止シート２に配された弾性伸縮部材３と立体ギャザーＢＳの弾性伸縮部材１６の交差する領域から、前後漏れ防止シート２の長手方向内側かつ股上側へ立体ギャザーＢＳが引っ張られる。それにより、立体ギャザーＢＳが立ち上がりやすくなり、前後漏れ防止シート２の非固定部分が表面シート１１とより離間しやすくなるという利点がある。
【００６６】
また、吸収パッドを装着した後であって、使い捨ておむつを上半身側へ引き上げる段階においては、前後漏れ防止シート２に配された弾性伸縮部材３と立体ギャザーＢＳの弾性伸縮部材１６の交差する領域から、前後漏れ防止シート２の長手方向内側かつ股上側へ配された弾性伸縮部材３が伸長する。その結果、挿入した吸収パッドの後身頃側両角部が前記弾性伸縮部材３によって押さえつけられ、挿入した吸収パッドがずれにくくなるという利点がある。
【００６７】
（離間部又は薄肉部の形成）
また、前記吸収体１３に離間部３２や薄肉部３３を設けることもできる。この離間部３２は吸収体１３が離間している部分をいい、スリットによって形成しても良いし、スリットよりも幅を持たせても良い。また、薄肉部３３は吸収体１３の厚さが薄くなっている部分をいい、エンボス等によって形成することができる。図示形態においては、吸収体１３の肌面側および裏面側の両面から窪みをつけて薄肉部３３を形成した例を示したが、このような形態に限られず、肌面側および裏面側のいずれか一方の面から窪みをつけて薄肉部３３を形成するようにしても良い。
【００６８】
前記離間部３２や薄肉部３３を設ける位置は、内装体１０と外装シート２０の固定部Ｘと、非固定部Ｙとの境界位置Ｌ１であることが好ましい。このような境界位置Ｌ１に離間部３２や薄肉部３３を設けることにより、境界位置Ｌ１を起端にして、内装体１０の両側部の非固定部Ｙが立ち上がりやすくなる。そのため、前後漏れ防止シート２と表面シート１１との間に生じる空間が大きくなり、その空間に吸収パッドを挿入しやすくなる。
【００６９】
なお、内装体１０と外装シート２０の固定部Ｘに、吸収体１３の離間部３２又は薄肉部３３を設けた場合は、内装体１０の非固定部Ｙの立ち上がる効果が実質的に見られない。また、内装体１０と外装シート２０の非固定部Ｙに、吸収体１３の離間部３２又は薄肉部３３を設けた場合は、非固定部Ｙの途中で折れ曲がりが生じるが、内装体１０の非固定部Ｙ全体の立ち上がりに顕著な効果が生じない。
【符号の説明】
【００７０】
１：使い捨ておむつ、２：前後漏れ防止シート、３：前後漏れ防止シート弾性伸縮部材、４：ホットメルト接着パターン、１０：内装体、１１：表面シート、１２：液不透過性裏面側シート、１３：吸収体、１４：包装シート、１５：立体ギャザーシート、１６：立体ギャザー弾性伸縮部材、２０：外装シート、２１・２２：側部接合縁、２４：ウエスト部弾性伸縮部材、２５：腰回り弾性伸縮部材、２６：背側湾曲弾性伸縮部材、２８：腹側湾曲弾性伸縮部材、２９：脚回りライン、３０：吸収パッド、３１：吸収パッドギャザー、３２：離間部、３３：薄肉部、５０：後押えシート、６０：前押えシート、Ｆ：前身頃、Ｂ：後身頃、Ｍ：非止着領域、Ｎ：止着領域、Ｘ：固定部、Ｙ：非固定部、Ｌ１：固定部と非固定部の境界、Ｌ２：非固定部の幅方向外側の境界、ＢＳ：立体ギャザー
【図１】
2014068848.tif 000003
【図２】
2014068848.tif 000004
【図３】
2014068848.tif 000005
【図４】
2014068848.tif 000006
【図５】
2014068848.tif 000007
【図６】
2014068848.tif 000008
【図７】
2014068848.tif 000009
【図８】
2014068848.tif 000010
【図９】
2014068848.tif 000011
【図１０】
2014068848.tif 000012
【図１１】
2014068848.tif 000013
【図１２】
2014068848.tif 000014
【図１３】
2014068848.tif 000015
【図１４】
2014068848.tif 000016
【図１５】
2014068848.tif 000017
【図１６】
2014068848.tif 000018
【図１７】
2014068848.tif 000019
【図１８】
2014068848.tif 000020
【図１９】
2014068848.tif 000021
【図２０】
2014068848.tif 000022
【図２１】
2014068848.tif 000023